(57)【要約】      （修正有）【課題】体液を含む廃液の処理方法およびその処理装置並びに体液を含む廃液の貯留容器を提供する。【解決手段】内部に体液を含む廃液２７を収容しキャップ２２を着脱可能に被着した貯留容器２２を備え、前記貯留容器２２の排出口に臨ませて常時は閉弁可能な廃液弁を設け、該廃液弁を開弁しキャップ２２の被着状態を維持して廃液２７を排出する。廃液弁の開弁時に洗浄手段１５ａ〜１５ｅを貯留容器２２の内部に導入して洗浄する。病院または介護施設の定位置に洗浄装置１を設置し、該洗浄装置１へ廃液２７を収容した貯留容器２２を移動し、排出口を下向きにして一または複数の貯留容器２２を洗浄装置１に設置し、廃液弁を開弁し廃液２７を自然落下させて排出するとともに、排出口を介し洗浄手段１５ａ〜１５ｅを貯留容器２２の内部に吹き付けて洗浄する。【選択図】図１
2016106801.tif 000002
【特許請求の範囲】
【請求項１】
内部に体液を含む廃液を収容しキャップを着脱可能に被着した貯留容器を備え、該貯留容器の排出口に臨ませて常時は閉弁可能な廃液弁を設け、該廃液弁を開弁しキャップの被着状態を維持して廃液を排出するとともに、前記廃液弁の開弁時に洗浄手段を貯留容器の内部に導入して洗浄する体液を含む廃液の処理方法において、病院または介護施設の定位置に前記貯留容器の内部を洗浄する洗浄装置を設置し、該洗浄装置へ廃液を収容した貯留容器を移動し、前記排出口を下向きにして一または複数の貯留容器を洗浄装置に設置し、廃液弁を開弁し廃液を自然落下させて排出するとともに、排出口を介し洗浄手段を貯留容器の内部に吹き付けて洗浄することを特徴とする体液を含む廃液の処理方法。
【請求項２】
前記廃液の排出と同時期、若しくは貯留容器内の廃液の所定の残留時期、または貯留容器内の廃液の全量排出後に、洗浄手段を貯留容器の内部に吹き付ける請求項１記載の体液を含む廃液の処理方法。
【請求項３】
廃液を収容し排出可能な廃液流しに連通する排出孔を形成した載荷テ−ブル上に、一または複数の貯留容器を立位姿勢で設置する請求項１記載の体液を含む廃液の処理方法
【請求項４】
前記貯留容器の底部またはキャップに排出口を設け、該貯留容器を正立または倒立させて洗浄装置に設置する請求項１記載の体液を含む廃液の処理方法。
【請求項５】
複数の洗浄手段の一または複数を選択して貯留容器内部に吹き付ける請求項１記載の体液を含む廃液の処理方法。
【請求項６】
前記洗浄手段は、蒸気若しくは加熱水または薬剤を添加した消毒液、加圧空気若しくは加圧水である請求項１記載の体液を含む廃液の処理方法。
【請求項７】
内部に体液を含む廃液を収容しキャップを着脱可能に被着した貯留容器を備え、該貯留容器の排出口に臨ませて常時は閉弁可能な廃液弁を設け、該廃液弁を開弁しキャップの被着状態を維持して廃液を排出可能に設けるとともに、前記廃液弁の開弁時に洗浄手段を貯留容器の内部に導入可能に設けた、体液を含む廃液の処理装置において、病院または介護施設の定位置に前記貯留容器の内部を洗浄可能な洗浄装置を設置し、該洗浄装置へ廃液を収容した一または複数の貯留容器を排出口を下向きにして設置し、廃液弁の開弁を介し廃液を自然落下させて排出可能にするとともに、排出口を介し洗浄手段を貯留容器の内部に吹き付けて洗浄可能にしたことを特徴とする体液を含む廃液の処理装置。
【請求項８】
廃液の排出と同時期、若しくは貯留容器内の廃液の所定の残留時期、または貯留容器内の廃液の全量排出後に、洗浄手段を貯留容器の内部に吹き付け可能にした請求項７記載の体液を含む廃液の処理装置。
【請求項９】
前記排出口の同軸上で貯留容器の内側または外側位置に、洗浄手段に連通する噴射ノズルを配置した請求項７記載の体液を含む廃液の処理装置。
【請求項１０】
前記洗浄装置は、廃液を収容し排出可能な廃液流しと、廃液流しの上部に着脱可能に配置され、かつ貯留容器を立位姿勢で設置可能にした載荷テーブルと、該載荷テーブルに着脱可能に配置され、載荷テーブルへの装着時に一または複数の貯留容器を収容し内部を密閉可能にした蓋体と、を備えた請求項７記載の体液を含む廃液の処理装置。
【請求項１１】
前記載荷テーブルに廃液流しに連通する一または複数の排出孔を形成し、前記テーブルまたはテーブルの直上に一または複数の貯留容器を立位姿勢で設置可能にした請求項１０記載の体液を含む廃液の処理装置。
【請求項１２】
前記載荷テーブルの上面に排出孔に臨ませて支持リングを設置し、該支持リングの外側に貯留容器の下端部を正立姿勢で設置可能に設け、または前記支持リング上に貯留容器を倒立姿勢で設置可能にした請求項１０記載の体液を含む廃液の処理装置。
【請求項１３】
前記排出孔の上側開口縁に向かって下降するテーパ面を形成した請求項１０記載の体液を含む廃液の処理装置。
【請求項１４】
複数の洗浄手段の一または複数を選択して貯留容器内部に吹き付け可能にした請求項７記載の体液を含む廃液の処理装置。
【請求項１５】
前記洗浄手段は、蒸気若しくは加熱水または薬剤を添加した消毒液、加圧空気若しくは加圧水である請求項７記載の体液を含む廃液の処理装置。
【請求項１６】
内部に体液を含む廃液を収容しキャップを着脱可能に被着した貯留容器を備え、該貯留容器の排出口に臨ませて常時は閉弁可能な廃液弁を設け、該廃液弁を開弁しキャップの被着状態を維持して廃液を排出可能にするとともに、前記廃液弁の開弁時に洗浄手段を貯留容器の内部に導入可能に設け、貯留容器を洗浄可能にした体液を含む廃液の貯留容器において、病院または介護施設の定位置に貯留容器の内部を洗浄可能な洗浄装置を設置し、前記貯留容器の底部若しくは側周面または前記キャップに排出口を設け、該排出口を下向きにして一または複数の貯留容器を洗浄装置の載荷テ−ブル上に立設して設置し、前記廃液弁の開弁時に廃液を自然落下させて排出可能にするとともに、前記排出口の同軸上で貯留容器の内側または外側位置に、洗浄手段に連通する噴射ノズルを配置し、前記廃液弁の開弁時、前記噴射ノズルを介し洗浄手段を貯留容器の内部に吹き付け可能にしたことを特徴とする体液を含む廃液の貯留容器。
【請求項１７】
前記廃液弁を弾性部材によって略円錐台形に形成し、該廃液弁を下方に移動可能に付勢し、底部に突設した排出管の上端部に係合可能に配置するとともに、前記廃液弁に噴射ノズルを挿入可能なガイドパイプを下方に突設し、前記噴射ノズルの先端部を廃液弁に当接して押し上げ、廃液弁を開弁可能にした請求項１６記載の体液を含む廃液の貯留容器。
【請求項１８】
前記排出管を載荷テーブルに突設した支持リングに係合可能に挿入した請求項１７記載の体液を含む廃液の貯留容器。
【発明の詳細な説明】
【技術分野】
【０００１】
本発明は、例えば病院、介護施設、家庭等で患者や被介護者から吸引した鼻汁や痰等の体液を含む廃液の処理に好適で、廃液を収容した貯留容器のキャップを開けることなく簡便かつ安全に排出し、廃液の付着による感染症の感染を防止し、衛生的かつ速やかに処理し得るとともに、貯留容器に廃液弁を取付け、廃液の排出と貯留容器の洗浄を合理的に行なえ、しかも廃液を排出し洗浄する処理装置によって、それらの処理を合理的に行なえ処理能率を向上するようにした、体液を含む廃液の処理方法およびその処理装置並びに体液を含む廃液の貯留容器に関する。
【背景技術】
【０００２】
鼻をかむ動作が不自由な耳鼻咽喉疾患の患者や、喀痰が不自由な喘息患者、介護施設の被介護者には、専用の吸引器を用いて鼻汁や痰を吸引している。
このような介護用吸引器として、密閉可能な容器に電動ポンプとその補助用の手動ポンプを装着し、前記電動ポンプにホ−スを接続し、このホ−スの先端に種々の吸引具を取付け、該吸引具を鼻や口に当てて電動ポンプを作動し、鼻汁や痰を吸引して前記容器に貯留するようにしたものがある（例えば、特許文献１参照）。
【０００３】
しかし、前記介護用吸引器は、容器内の廃液を排出する際、容器の蓋を開けて廃液を汚水槽に排出し、排出後、前記容器を適宜手段で洗浄するようにしているため、廃液の排出時にいちいち蓋を開け、廃液の排出後は蓋を取り付けなければならず、これらの作業が煩雑で手間が掛かる上に、廃液の排出時や容器の洗浄時に廃液が作業者の手指や衣服に付着する惧れがあって衛生的ではなく、また廃液の付着による感染症の感染の問題があった。
【０００４】
このような問題を解決するものとして、弾力性を有する筒体の両端部に逆止弁を配置し、筒体の上流側に体内挿入チューブを装着し、筒体の下流側にチューブを介して空バッグを装着し、その使用時に体内挿入チューブの先端部を口または鼻から挿入して喉頭付近に位置付け、筒体を押圧して下流側の逆止弁を開弁し、また上流側の逆止弁を閉弁し、筒体の押圧を解除して下流側の逆止弁を閉弁し、上流側の逆止弁を開弁し痰を体内挿入チューブに吸引して筒体内に貯留し、この後、前記筒体を再度押圧して上流側の逆止弁を閉弁し、下流側の逆止弁を開弁して、筒体内の痰をチューブから空バッグに衛生的に採集するようにした吸引・洗浄器がある（例えば、特許文献２参照）。
【０００５】
しかし、前記吸引・洗浄器は筒体の下流側に空バッグを装着し、筒体とチューブを接続コネクタで連結しているため、筒体と空バッグを洗浄する場合は接続コネクタを取り外して、これらを一緒に洗浄しなければならず、それらの作業が煩雑で作業性が悪い上に洗浄の精密性に欠け、また痰の排出や洗浄の際は、痰やその洗浄液の飛沫が作業者の手指や衣服に付着する惧れがあって衛生的ではなく、廃液の付着による感染症の感染の問題があった。
【０００６】
このような問題を解決するものとして、透明な合成樹脂製の瓶の開口部に蓋を装着し、該蓋の上板に吸出導管に連通する第１のニップルを立設するとともに、体液収集導管に連通するエルボ状の第２のニップルを接続し、瓶内に体液が所定レベル収容された際、吸出導管と体液収集導管を取り外し、それらの管端部にキャップを被せ、体液に凝固剤を添加して瓶全体を廃棄かつ焼却するようにした、使い捨て式の体液収集用容器がある（例えば、特許文献３参照）。
【０００７】
前記容器による処理は、容器使用後の廃液の廃棄やその後の洗浄の面倒から解消されるが、使用毎に凝固剤を使用し容器を廃棄するため、処理コストが高くなり資源の有効利用を図れない等の問題があった。
【０００８】
そこで、前記問題を解決するものとして、蛇腹状の処理容器の上蓋に廃液導入管と廃液管を取付け、下蓋にフィルタと開閉弁を設け、処理容器の底部に排気管と真空ポンプに連通する廃棄管とを配置し、廃液の採集時に廃液導入管に吸引チューブを接続し真空ポンプを駆動して、吸引チューブから廃液や空気を吸い込んで処理容器を伸長させ、廃液の採集後、処理容器をタンクに載せて開閉弁を開弁し、廃液をフィルタでろ過して水分のみをタンク内に流入させ、廃液のろ過後、開閉弁を閉弁して処理容器を焼却するようにしたものがある（例えば、特許文献４参照）。
【０００９】
しかし、前記処理容器は廃液の採集時は減圧容器に収容し、採集後は減圧容器から取り出してタンク上に移動させる作業を要し、これらの作業が煩雑な上に、廃液をフィルタでろ過するために時間が掛かり、しかも処理容器の使用後はフィルタや開閉弁と一緒に焼却するため、処理コストが高価になり依然として資源の有効利用を図れない等の問題があった。
【００１０】
このような問題を解決するものとして、吸引室と排水室を上下に配置した装置本体をキャスターを介して移動可能に設け、真空ポンプに連通する吸引室の吸入部に吸引ホースの基端を接続し、その先端に手術時の灌流液・血液・体液等の汚水を吸引する集中パットまたはアタッチメントを接続するとともに、吸引室に洗浄液および消毒液を導入する洗浄用配管を接続し、前記吸引室と排水室との間に電磁弁を介挿し、排水室の上部に導管を介してコンプレッサに連通し、下部に排水管を接続して排水管を外側のアウトレットボックスの排水用升に配管し、該排水用升に外部排水管を接続した汚水の自動吸排水装置がある（例えば、特許文献５参照）。
【００１１】
前記装置は、手術時の灌流液・血液・体液を集中パットまたはアタッチメントより吸引して吸引室に貯留し、所定の貯留時に電磁弁を開弁して前記汚水を排水室に移動させ、同時にコンプレッサを駆動して排水室内の汚水を加圧し、排水管による排出を促すとともに、手術後は洗浄液および消毒液を洗浄用配管を介して吸引室に導入し、これを排水室から外部排水管に亘って流通させて吸排水装置の管内を洗浄・消毒するようにしている。
【００１２】
しかし、この吸排水装置は、大形かつ大規模で高価な上に、集中パットまたはアタッチメントの吸引時に前記汚水またはその飛沫が医師の手指や衣服に付着する惧れがあって衛生的ではなく、廃液の付着による感染症の感染の惧れがあり、また洗浄液および消毒液の洗浄は、吸引室に汚水が残留したまま洗浄液等を導入して移動するため、洗浄ないし消毒の精度が低い等の問題があった。
【００１３】
そこで、前記問題を解決するものとして、移動用カートに消毒槽と汚水槽と吸引ポンプを搭載し、消毒槽と汚水槽を吸引ポンプに連係するとともに、汚水槽にストップバルブを介挿した排水管を接続し、また患者や被介護者から吸引した痰を含む廃液を収容する貯留瓶を設け、該貯留瓶を消毒槽と汚水槽に配管して接続し、貯留瓶から廃液を吸引する際、貯留瓶の蓋に吸引チューブを差し込み、該チューブの他端を汚水槽に配管し、吸引ポンプを駆動して汚水槽を負圧にし、貯留瓶の蓋を開けることなく廃液を汚水槽に吸引する。
この後、吸引ポンプを介して消毒槽を加圧し、消毒液を貯留瓶に送り込んで消毒し、消毒後の消毒液を汚水槽に吸引した後、前記カートを汚物処理室へ移動し吸引ポンプを駆動して、排水管のストップバルブを開弁し、吸引ポンプを駆動して汚水槽を加圧し、汚水槽内の廃液を汚物流しに排出するようにした廃液自動処理装置がある（例えば、特許文献６参照）。
【００１４】
前記処理装置は、貯留瓶の蓋を開けることなく廃液を汚水槽に吸引でき、廃液の吸引作業を簡便かつ速やかに行え、また廃液や消毒液の飛沫が作業者の手指や衣服に付着する惧れがなく衛生的に行なえ、しかも廃液や消毒液の付着による感染症の感染の問題も解消できる利点がある。
しかし、前記処理装置による処理作業は、大形重量の移動用カートを移動して病室や介護室を巡回し、各部屋で貯留瓶の廃液を排出して消毒するため、作業スペースの確保を要するとともに、良好な療養環境が損なわれる問題があり、しかも貯留瓶の廃液を吸引後に消毒液によって消毒し、消毒後は消毒液の吸引後にそれらの廃液を排出しているため、工程が煩雑で手間が掛かって処理コストが高価になり、また移動用カートに消毒槽と汚水槽と吸引ポンプを搭載するため、処理装置が大形化する等の問題があった。
【先行技術文献】
【特許文献】
【００１５】
【特許文献１】特開２０００−３１６９６８号公報
【特許文献２】特開２００５−１１０８８８号公報
【特許文献３】特開昭５１−４８５８９号公報
【特許文献４】特公平６−３６８１３号公報
【特許文献５】特開２００３−３２５６５８号公報
【特許文献６】特開２０１４−２３８８２号公報
【発明の開示】
【発明が解決しようとする課題】
【００１６】
本発明はこのような問題を解決し、例えば病院、介護施設、家庭等で患者や被介護者から吸引した鼻汁や痰等の体液を含む廃液の処理に好適で、廃液を収容した貯留容器のキャップを開けることなく簡便かつ安全に排出し、廃液の付着による感染症の感染を防止し、衛生的かつ速やかに処理し得るとともに、貯留容器に廃液弁を取付け、廃液の排出と貯留容器の洗浄を合理的に行なえ、しかも廃液を排出し洗浄する処理装置によって、それらの処理を合理的に行なえ処理能率を向上するようにした、体液を含む廃液の処理方法およびその処理装置並びに体液を含む廃液の貯留容器を提供することを目的とする。
【課題を解決するための手段】
【００１７】
請求項１の発明は、内部に体液を含む廃液を収容しキャップを着脱可能に被着した貯留容器を備え、該貯留容器の排出口に臨ませて常時は閉弁可能な廃液弁を設け、該廃液弁を開弁しキャップの被着状態を維持して廃液を排出するとともに、前記廃液弁の開弁時に洗浄手段を貯留容器の内部に導入して洗浄する体液を含む廃液の処理方法において、病院または介護施設の定位置に前記貯留容器の内部を洗浄する洗浄装置を設置し、該洗浄装置へ廃液を収容した貯留容器を移動し、前記排出口を下向きにして一または複数の貯留容器を洗浄装置に設置し、廃液弁を開弁し廃液を自然落下させて排出するとともに、排出口を介し洗浄手段を貯留容器の内部に吹き付けて洗浄し、従来のように大形重量の移動用カートを移動して病室や介護室を巡回し、各部屋で貯留瓶の廃液を排出して消毒し、良好な療養環境を損なう上に作業スペースの確保を要し、処理工程が煩雑で手間が掛かり処理コストが高価になる問題をなくし、またキャップの着脱操作による作業の煩雑を解消し、廃液の排出時における廃液の付着や付着による感染症の感染を防止し、衛生的かつ合理的に廃液を処理するとともに、構成を簡潔にして、簡単な方法で貯留容器から廃液を排出し処理能率を向上し生産性を向上するようにしている。
【００１８】
請求項２の発明は、廃液の排出と同時期、若しくは貯留容器内の廃液の所定の残留時期、または貯留容器内の廃液の全量排出後に、洗浄手段を貯留容器の内部に吹き付けて洗浄し、洗浄手段の噴出時期を多様に設定し、種々の作業条件に対応可能にしている。
すなわち、廃液の排出と同時期に洗浄手段を吹き付ける場合は、洗浄を速やかに行なえるとともに、廃液面を動揺させて洗浄を合理的かつ精密に行なえ、また廃液の所定の残留時期に洗浄手段を吹き付ける場合は、廃液面を激しく動揺させて洗浄を合理的かつ精密に行なえ、廃液の排出後は洗浄手段を勢い良く吹き付けて洗浄を精密に行なえ、廃液の全量排出後に洗浄手段を吹き付ける場合は、洗浄手段を勢い良く吹き付けて洗浄を精密に行なえるようにしている。
【００１９】
請求項３の発明は、廃液を収容し排出可能な廃液流しに連通する排出孔を形成した載荷テーブル上に、一または複数の貯留容器を立位姿勢で設置し、貯留容器から自然落下した廃液を排出孔を介して、載荷テーブルから廃液流しへ円滑に排出するようにしている。
請求項４の発明は、貯留容器の底部またはキャップに排出口を設け、該貯留容器を正立または倒立させて洗浄装置に設置し、貯留容器の構造に応じて廃液の排出と貯留容器の洗浄を容易に行なえるようにしている。
請求項５の発明は、複数の洗浄手段の一または複数を選択して貯留容器内部に吹き付け、貯留容器の汚損状況に応じて多様な洗浄を選択し得るようにしている。
請求項６の発明は、洗浄手段は、蒸気若しくは加熱水または薬剤を添加した消毒液、加圧空気若しくは加圧水であり、多様な洗浄手段を用意し、これらを貯留容器の汚損状況に応じて選択して使用し得るようにしている。
【００２０】
請求項７の発明は、内部に体液を含む廃液を収容しキャップを着脱可能に被着した貯留容器を備え、該貯留容器の排出口に臨ませて常時は閉弁可能な廃液弁を設け、該廃液弁を開弁しキャップの被着状態を維持して廃液を排出可能に設けるとともに、前記廃液弁の開弁時に洗浄手段を貯留容器の内部に導入可能に設けた、体液を含む廃液の処理装置において、病院または介護施設の定位置に前記貯留容器の内部を洗浄可能な洗浄装置を設置し、該洗浄装置へ廃液を収容した一または複数の貯留容器を排出口を下向きにして設置し、廃液弁の開弁を介し廃液を自然落下させて排出可能にするとともに、排出口を介し洗浄手段を貯留容器の内部に吹き付けて洗浄可能にし、従来のように大形重量の移動用カートを移動して病室や介護室を巡回し、各部屋で貯留瓶の廃液を排出して消毒し、良好な療養環境を損なう上に作業スペースの確保を要し、処理工程が煩雑で手間が掛かり処理コストが高価になる問題をなくし、またキャップの着脱操作による作業の煩雑を解消するとともに、廃液の排出時における廃液の付着や付着による感染症の感染を防止し、衛生的かつ合理的に廃液を処理するとともに、構成を簡潔にして簡単な方法で貯留容器から廃液を排出し、処理能率を向上し生産性を向上するようにしている。
【００２１】
請求項８の発明は、廃液の排出と同時期、若しくは貯留容器内の廃液の所定の残留時期、または貯留容器内の廃液の全量排出後に、洗浄手段を貯留容器の内部に吹き付け可能にし、洗浄手段の噴出時期を多様に設定し、種々の作業条件に対応可能にしている。
すなわち、廃液の排出と同時期に洗浄手段を吹き付ける場合は、洗浄を速やかに行なえるとともに、廃液面を動揺させて洗浄を合理的かつ精密に行なえ、また廃液の所定の残留時期に洗浄手段を吹き付ける場合は、廃液面を激しく動揺させて洗浄を合理的かつ精密に行なえ、廃液の排出後は洗浄手段を勢い良く吹き付けて洗浄を精密に行なえ、廃液の全量排出後に洗浄手段を吹き付ける場合は、洗浄手段を勢い良く吹き付けて洗浄を精密に行なえるようにしている。
請求項９の発明は、排出口の同軸上で貯留容器の内側または外側位置に、洗浄手段に連通する噴射ノズルを配置し、貯留容器に対する洗浄手段の噴出を正確かつ確実に行なうようにしている。
【００２２】
請求項１０の発明は、洗浄装置は、廃液を収容可能な廃液流しと、廃液流しの上部に着脱可能に配置され、かつ貯留容器を立位姿勢で設置可能にした載荷テーブルと、該載荷テーブルに着脱可能に配置され、載荷テーブルの装着時に一または複数の貯留容器を収容し内部を密閉可能にした蓋体と、を備え、貯留容器の設置と廃液の排出、および洗浄を合理的かつコンパクトに構成するとともに、それらの作業を能率良く行なえ、しかも蓋体によって洗浄装置内部を外界から遮断し、廃液や洗浄手段の飛沫の飛散を防止し、廃液の排出時における廃液の付着や付着による感染症の感染を防止して、衛生的かつ安全に作業し得るとともに、洗浄装置周辺の汚損を防止して良好な作業環境を維持し得るようにしている
請求項１１の発明は、載荷テーブルに廃液流しに連通する一または複数の排出孔を形成し、前記テーブルまたはテーブルの直上に一または複数の貯留容器を立位姿勢で設置可能にし、貯留容器の設置と排出孔による廃液の排出を実現し、処理能率を向上し生産性の向上を図るようにしている。
【００２３】
請求項１２の発明は、載荷テーブルの上面に排出孔に臨ませて支持リングを設置し、該支持リングの外側に貯留容器の下端部を正立姿勢で設置可能に設け、または前記支持リング上に貯留容器を倒立姿勢で設置可能にし、貯留容器の排出口の位置、つまり底部やキャップ上の位置に応じて載荷テーブルに対する設置姿勢を変更し、廃液の排出と洗浄を実現している。
請求項１３の発明は、排出孔の上側開口縁に向かって下降するテーパ面を形成し、貯留容器から流下した廃液を排出孔へ確実かつ円滑に移動して排出し、載荷テーブルの乾燥を促し当該部の衛生を図るようにしている。
請求項１４の発明は、複数の洗浄手段の一または複数を選択して貯留容器内部に吹き付け可能にし、貯留容器の汚損状況に応じて多様な洗浄を選択し得るようにしている。
請求項１５の発明は、洗浄手段は、蒸気若しくは加熱水または薬剤を添加した消毒液、加圧空気若しくは加圧水であり、多様な洗浄手段を用意し、これらを貯留容器の汚損状況に応じて選択して使用し得るようにしている。
【００２４】
請求項１６の発明は、内部に体液を含む廃液を収容しキャップを着脱可能に被着した貯留容器を備え、該貯留容器の排出口に臨ませて常時は閉弁可能な廃液弁を設け、該廃液弁を開弁しキャップの被着状態を維持して廃液を排出可能にするとともに、前記廃液弁の開弁時に洗浄手段を貯留容器の内部に導入可能に設け、貯留容器を洗浄可能にした体液を含む廃液の貯留容器において、病院または介護施設の定位置に貯留容器の内部を洗浄可能な洗浄装置を設置し、前記貯留容器の底部若しくは側周面または前記キャップに排出口を設け、該排出口を下向きにして一または複数の貯留容器を洗浄装置の載荷テーブル上に立設して設置し、前記廃液弁の開弁時に廃液を自然落下させて排出可能にするとともに、前記排出口の同軸上で貯留容器の内側または外側位置に、洗浄手段に連通する噴射ノズルを配置し、前記廃液弁の開弁時、前記噴射ノズルを介し洗浄手段を貯留容器の内部に吹き付け可能にし、種々の位置に排出口を設けた多様な貯留容器を実現し、この貯留容器による廃液を簡単な方法で排出し、構成を簡潔にして処理能率を向上し生産性を向上するようにしている。
請求項１７の発明は、廃液弁を弾性部材によって略円錐台形に形成し、該廃液弁を下方に移動可能に付勢し、底部に突設した排出管の上端部に係合可能に配置するとともに、前記廃液弁に噴射ノズルを挿入可能なガイドパイプを下方に突設し、前記噴射ノズルの先端部を廃液弁に当接して押し上げ、廃液弁を開弁可能にして、簡単な構造で廃液弁を開閉可能にしている。
請求項１８の発明は、排出管を載荷テーブルに突設した支持リングに係合可能に挿入し、貯留容器を容易かつ安定した立位姿勢で設置し得るようにしている。
【発明の効果】
【００２５】
請求項１の発明は、病院または介護施設の定位置に貯留容器の内部を洗浄する洗浄装置を設置し、該洗浄装置へ廃液を収容した貯留容器を移動し、前記排出口を下向きにして一または複数の貯留容器を洗浄装置に設置し、廃液弁を開弁し廃液を自然落下させて排出するとともに、排出口を介し洗浄手段を貯留容器の内部に吹き付けて洗浄するから、従来のように大形重量の移動用カートを移動して病室や介護室を巡回し、各部屋で貯留瓶の廃液を排出して消毒し、良好な療養環境を損なう上に作業スペースの確保を要し、処理工程が煩雑で手間が掛かり処理コストが高価になる問題を解決し、またキャップの着脱操作による作業の煩雑を解消し、廃液の排出時における廃液の付着や付着による感染症の感染を防止し、衛生的かつ合理的に廃液を処理するとともに、構成を簡潔にして簡単な方法で貯留容器から廃液を排出し、処理能率を向上し生産性を向上することができる。
【００２６】
請求項２の発明は、廃液の排出と同時期、若しくは貯留容器内の廃液の所定の残留時期、または貯留容器内の廃液の全量排出後に、洗浄手段を貯留容器の内部に吹き付けて洗浄するから、洗浄手段の噴出時期を多様に設定し、種々の作業条件に対応させることができる。
すなわち、廃液の排出と同時期に洗浄手段を吹き付ける場合は、洗浄を速やかに行なえるとともに、廃液面を動揺させて洗浄を合理的かつ精密に行なえ、また廃液の所定の残留時期に洗浄手段を吹き付ける場合は、廃液面を激しく動揺させて洗浄を合理的かつ精密に行なえ、廃液の排出後は洗浄手段を勢い良く吹き付けて洗浄を精密に行なえ、廃液の全量排出後に洗浄手段を吹き付ける場合は、洗浄手段を勢い良く吹き付けて洗浄を精密に行なうことができる。
【００２７】
請求項３の発明は、廃液を収容し排出可能な廃液流しに連通する排出孔を形成した載荷テーブル上に、一または複数の貯留容器を立位姿勢で設置するから、貯留容器から自然落下した廃液を排出孔を介して、載荷テーブルから廃液流しへ円滑に排出することができる
請求項４の発明は、貯留容器の底部またはキャップに排出口を設け、該貯留容器を正立または倒立させて洗浄装置に設置するから、貯留容器の構造に応じて廃液の排出と貯留容器の洗浄を容易に行なうことができる。
請求項５の発明は、複数の洗浄手段の一または複数を選択して貯留容器内部に吹き付けるから、貯留容器の汚損状況に応じて多様な洗浄を選択することができる。
請求項６の発明は、洗浄手段は、蒸気若しくは加熱水または薬剤を添加した消毒液、加圧空気若しくは加圧水であるから、多様な洗浄手段を用意し、これらを貯留容器の汚損状況に応じて選択して使用することができる。
【００２８】
請求項７の発明は、病院または介護施設の定位置に貯留容器の内部を洗浄可能な洗浄装置を設置し、該洗浄装置へ廃液を収容した一または複数の貯留容器を排出口を下向きにして設置し、廃液弁の開弁を介し廃液を自然落下させて排出可能にするとともに、排出口を介し洗浄手段を貯留容器の内部に吹き付けて洗浄可能にしたから、従来のように大形重量の移動用カートを移動して病室や介護室を巡回し、各部屋で貯留瓶の廃液を排出して消毒し、良好な療養環境を損なう上に作業スペースの確保を要し、処理工程が煩雑で手間が掛かり処理コストが高価になる問題をなくし、またキャップの着脱操作による作業の煩雑を解消するとともに、廃液の排出時における廃液の付着や付着による感染症の感染を防止し、衛生的かつ合理的に廃液を処理するとともに、構成を簡潔にして簡単な方法で貯留容器から廃液を排出し、処理能率を向上し生産性を向上することができる。
【００２９】
請求項８の発明は、廃液の排出と同時期、若しくは貯留容器内の廃液の所定の残留時期、または貯留容器内の廃液の全量排出後に、洗浄手段を貯留容器の内部に吹き付け可能にしたから、洗浄手段の噴出時期を多様に設定し、種々の作業条件に対応することができる
すなわち、廃液の排出と同時期に洗浄手段を吹き付ける場合は、洗浄を速やかに行なえるとともに、廃液面を動揺させて洗浄を合理的かつ精密に行なえ、また廃液の所定の残留時期に洗浄手段を吹き付ける場合は、廃液面を激しく動揺させて洗浄を合理的かつ精密に行なえ、廃液の排出後は洗浄手段を勢い良く吹き付けて洗浄を精密に行なえ、廃液の全量排出後に洗浄手段を吹き付ける場合は、浄手段を勢い良く吹き付けて洗浄を精密に行なうことができる。
請求項９の発明は、排出口の同軸上で貯留容器の内側または外側位置に、洗浄手段に連通する噴射ノズルを配置したから、貯留容器に対する洗浄手段の噴出を正確かつ確実に行なうことができる。
【００３０】
請求項１０の発明は、洗浄装置は、廃液を収容可能な廃液流しと、廃液流しの上部に着脱可能に配置され、かつ貯留容器を立位姿勢で設置可能にした載荷テーブルと、該載荷テーブルに着脱可能に配置され、載荷テーブルの装着時に一または複数の貯留容器を収容し内部を密閉可能にした蓋体と、を備えたから、貯留容器の設置と廃液の排出、および洗浄を合理的かつコンパクトに構成するとともに、それらの作業を能率良く行なえ、しかも蓋体によって洗浄装置内部を外界から遮断し、廃液や洗浄手段の飛沫の飛散を防止し、廃液の排出時における廃液の付着や付着による感染症の感染を防止して衛生的かつ安全に作業し得るとともに、洗浄装置周辺の汚損を防止して良好な作業環境を維持し得る効果がある
請求項１１の発明は、載荷テーブルに廃液流しに連通する一または複数の排出孔を形成し、前記テーブルまたはテーブルの直上に一または複数の貯留容器を立位姿勢で設置可能にしたから、貯留容器の設置と排出孔による廃液の排出を実現し、処理能率を向上し生産性の向上を図ることができる。
【００３１】
請求項１２の発明は、載荷テーブルの上面に排出孔に臨ませて支持リングを設置し、該支持リングの外側に貯留容器の下端部を正立姿勢で設置可能に設け、または前記支持リング上に貯留容器を倒立姿勢で設置可能にしたから、貯留容器の排出口の位置、つまり底部やキャップ上の位置に応じて載荷テーブルに対する設置姿勢を変更し、廃液の排出と洗浄を実現することができる。
請求項１３の発明は、排出孔の上側開口縁に向かって下降するテーパ面を形成したから、貯留容器から流下した廃液を排出孔へ確実かつ円滑に移動して排出し、載荷テーブルの乾燥を促し当該部の衛生を図ることができる。
請求項１４の発明は、複数の洗浄手段の一または複数を選択して貯留容器内部に吹き付け可能にしたから、貯留容器の汚損状況に応じて多様な洗浄を選択することができる。
請求項１５の発明は、洗浄手段は、蒸気若しくは加熱水または薬剤を添加した消毒液、加圧空気若しくは加圧水であるから、多様な洗浄手段を用意し、これらを貯留容器の汚損状況に応じて選択して使用することができる。
【００３２】
請求項１６の発明は、病院または介護施設の定位置に貯留容器の内部を洗浄可能な洗浄装置を設置し、前記貯留容器の底部若しくは側周面または前記キャップに排出口を設け、該排出口を下向きにして一または複数の貯留容器を洗浄装置の載荷テーブル上に立設して設置し、前記廃液弁の開弁時に廃液を自然落下させて排出可能にするとともに、前記排出口の同軸上で貯留容器の内側または外側位置に、洗浄手段に連通する噴射ノズルを配置し、前記廃液弁の開弁時、前記噴射ノズルを介し洗浄手段を貯留容器の内部に吹き付け可能にしたから、種々の位置に排出口を設けた多様な貯留容器を実現し、この貯留容器による廃液を簡単な方法で排出し、構成を簡潔にして処理能率を向上し、生産性を向上することができる。
【００３３】
請求項１７の発明は、廃液弁を弾性部材によって略円錐台形に形成し、該廃液弁を下方に移動可能に付勢し、底部に突設した排出管の上端部に係合可能に配置するとともに、前記廃液弁に噴射ノズルを挿入可能なガイドパイプを下方に突設し、前記噴射ノズルの先端部を廃液弁に当接して押し上げ、廃液弁を開弁可能にしたから、簡単な構造で廃液弁を開閉することができる。
請求項１８の発明は、排出管を載荷テーブルに突設した支持リングに係合可能に挿入したから、貯留容器を容易かつ安定した立位姿勢で設置することができる。
【図面の簡単な説明】
【００３４】
【図１】本発明の基本形態に適用した洗浄装置の洗浄状況を示す説明図である。
【図２】本発明の基本形態に適用した貯留容器を示す断面図で、内部に体液を含む廃液が収容され、その下部に閉弁状態の廃液弁を示している。
【図３】図２のＡ−Ａ線に沿う断面図である。
【図４】前記基本形態に適用した貯留容器の廃液の排出過程を示す断面図で、貯留容器を載荷テーブル上に設置する途中の状況を示している。
【図５】貯留容器を載荷テーブル上に設置した際の状況を示す断面図で、廃液弁が開弁されて廃液を排出している。
【００３５】
【図６】前記基本形態に適用した噴射ノズルの要部を拡大して示す断面図である。
【図７】前記基本形態に適用した貯留容器内の廃液の排出と、洗浄手段の噴出時期の要部を示す断面図で、（ａ）は廃液の排出と同時に洗浄手段を噴出し、（ｂ）は廃液の残留時に洗浄手段を噴出し、（ｃ）は廃液の全量排出後に洗浄手段を噴出している
【図８】本発明の基本形態の第１の応用形態を示す断面図で、貯留容器を倒立させて載荷テーブルの直上に設置している。
【図９】本発明の基本形態の第２の応用形態を示す断面図で、貯留容器を水平に支持して載荷テーブルの直上に設置している。
【００３６】
【図１０】図９のＢ−Ｂ線に沿う断面図である。
【図１１】本発明の第１の実施形態を示す断面図で、貯留容器を載荷テーブルの直上に倒立状態で支持リング上に設置し、廃液弁を閉弁している状況を示している。
【図１２】前記第１の実施形態において、廃液弁を開弁し廃液を排出後、噴射ノズルから洗浄手段を噴出している状況を示している。
【図１３】前記第１の実施形態の応用形態を示す断面図で、貯留容器を載荷テーブルの直上に倒立状態で支持リング上に設置し、廃液弁を閉弁している状況を示している
【００３７】
【図１４】本発明の第２の実施形態の要部を示す断面図で、貯留容器の下部に排出管を突設し、該排出管内の上端部に配置した廃液弁の閉弁状況を示している。
【図１５】前記第２の実施形態において、廃液弁の下方に突設したガイドパイプに噴射ノズルを挿入して押し上げ、廃液弁を開弁して廃液を排出し洗浄手段を噴出している状況を示している。
【発明を実施するための最良の形態】
【００３８】
以下、本発明の基本形態を医療ガス（酸素ガス）の給排設備を備えた病院、介護施設等の医療・介護用に適用した図示の実施形態について説明すると、図１乃至図７において１は病院、介護施設等の処置室に設置した洗浄装置で、該装置１は有底トレー状の廃液流し２と、該廃液流し２の周縁のフランジ２ａ上に着脱可能に設置した板状の載荷テーブル３と、該載荷テーブル３の上端部周面に着脱可能に設置した箱形の蓋体４とで構成されている。
【００３９】
前記廃液流し２は適宜高さの架台１２上に設置されて、屈曲姿勢ないし屈曲作業を回避可能にされ、その底部に排出孔５が設けられ、該ドレン孔５に下水路に連通するドレン管６の上端部が接続されている。
前記廃液流し２内の中高位置に連通管７が水平に配置され、その上部周面の長さ方向に複数の噴射ノズル８ａ〜８ｄが等間隔に突設されている。前記噴射ノズル８ａ〜８ｄは載荷テーブル３の上方に突出し、載荷テーブル３の下方に電磁弁９ａ〜９ｄが介挿されている。図中、４２は噴射ノズル８ａ〜８ｄの上端部に形成した複数の噴口である。
【００４０】
前記電磁弁９ａ〜９ｄは常時は閉弁され、後述する貯留容器に設けた廃液弁が開弁されて廃液の排出を開始した際、開弁可能にされている。
すなわち、前記電磁弁９ａ〜９ｄは常時は閉弁可能にされ、前記廃液弁の開弁を後述するリミットスイッチによって検出した際、その検出信号によって開弁し、所定の開弁時間経過後に閉弁可能にされている。
前記開弁時間は、例えば貯留容器内の廃液の排出に必要な時間に設定され、その開弁時期は図７（ａ）〜（ｃ）の一に選択的に設定されている。
【００４１】
すなわち、前記開弁時期は図７（ａ）の廃液弁の廃液排出と同時、または図７（ｂ）の貯留容器内の廃液の残留量の相当時期、例えば廃液の８割を排出し２割残留する相当時期、或いは図７（ｃ）の貯留容器内の廃液の全量排出後の相当時期に設定されている。
この基本形態ではリミットスイッチによる廃液弁の開弁検出後、相当時間、電磁弁９ａ〜９ｄを遅延作動させて開弁し、前記図７（ｂ），（ｃ）の開弁時期を設定している。また、この基本形態では廃液弁の廃液排出と同時に電磁弁９ａ〜９ｄを開弁可能に設定している。
【００４２】
前記載荷テーブル３は複数の貯留容器を収容可能な矩形板状に形成され、その板面に噴射ノズル８ａ〜８ｄまたは後述する支持リングと同数の複数の排出孔１０が離間して配置されている。前記排出孔１０に前記噴射ノズル８ａ〜８ｄが挿入され、該排出孔１０内の噴射ノズル８との空隙から廃液を排出可能にしている。
前記排出孔１０の上側開口部周辺に緩やかな円錐状のテーパ面１１が形成され、該テーパ面１１を介し載荷テーブル３に流下した廃液の排出孔１０への移動を促し、排出孔１０からの排出を促すようにしている。
【００４３】
前記テーパ面１１の外側に支持リング１３が取外し可能に設置され、該支持リング１３は金属または合成樹脂によって円管状に形成され、その外径は貯留容器の内側に挿入可能に形成され、その上端部に後述する廃液弁または貯留容器に被着したキャップを載置可能にしている。
一方、前記蓋体４は合成樹脂または鋼板によって深底の箱形に形成され、その内部に複数の貯留容器を収容可能にされ、その下端縁のフランジを載荷テーブル３上に載置して、洗浄装置１の内部を密閉し外界と遮断可能にされている。
【００４４】
前記洗浄装置１の離間位置に洗浄液供給装置１４が設けられ、該供給装置１４は種々の洗浄手段１５に対応する洗浄供給設備が装備されている。
前記洗浄手段１５には、蒸気１５ａ、加熱水１５ｂ、薬剤を添加した消毒液１５ｃ、加圧空気１５ｄ、加圧水１５ｅとが使用され、その供給設備にボイラ−等の蒸気発生装置、水道水等の水源、電熱または火力等の加熱装置、薬剤添加装置、エアーコンプレッサー、給水ポンプ等を備えている。
【００４５】
前記各洗浄手段１５ａ〜１５ｅは上流側を対応する供給設備に接続し、下流側を各導入管１６ａ〜１６ｅに接続していて、導入管１６ａの下流側に導入管１６ｂと１６ｃが並列に接続され、また導入管１６ｅの下流側に導入管１６ｄが並列に接続され、各導入管１６ａ〜１６ｅに安全弁であるリリ−フ弁を備えた電磁弁１７ａ〜１７ｅを介挿し、洗浄手段１５ａ〜１５ｅを供給または供給停止可能にしている。
【００４６】
前記電磁弁１７ａ〜１７ｅは常時は閉弁され、所定の洗浄手段１５ａ〜１５ｅを選択時にＯＮされて開弁され、選択した所定の洗浄手段１５ａ〜１５ｅを対応する導入管１６ａ〜１６ｅへ圧送可能にしている。
図中、１８，１９は導入管１６ａと導入管１６ｅの下流に介挿した逆止弁で、該逆止弁１８，１９の間に廃液流し２の側方に突出した連通管７の一端が接続されている。
【００４７】
前記貯留容器２０は、透明または半透明の合成樹脂またはガラス製の筒状に形成され、その内部に中空の貯留室２１を備え、その上側開口縁に不透明なシリコンゴムまたは合成樹脂製のキャップ２２を装着して水密に閉塞している。
図中、２３，２４はキャップ２２に抜き差し可能に取り付けた廃液導入管と排気管で、廃液導入管２３の管端部に吸引チューブ２５が接続され、排気管２４の管端部に排気チューブ２６が接続され、該チューブ２６が吸引源である医療ガス設備に備えた電動ポンプ（図示略）に連通している。
【００４８】
前記貯留容器２０は、貯留した廃液２７の排出時、吸引チューブ２５や排気チューブ２６と分離して載荷テーブル３上に正立状態で設置され、廃液２７の排出と貯留容器２０内部の洗浄、並びに廃液導入管２３と排気管２４との洗浄を可能にされている。
前記貯留室２１の底部２１ａは下方に湾曲形成され、その内部に患者や被介護者から吸引した鼻汁や痰等の体液を含む廃液２７を収容している。
この場合、前記底部２１ａは湾曲面に限らず、円錐若しくは角錐面の漏斗状に形成することも可能である。
【００４９】
前記底部２１ａの中央に通孔２８が形成され、該通孔２８に排出口を備えた排出管２９の上端部が水密に連結され、その下端部に廃液弁３０を構成する湾曲面状のアッパーバルブシート３１が形成されている。
前記底部２１ａの直下にバルブ室３２が設けられ、該バルブ室３２に前記廃液弁３０が開閉可能に配置されている。
前記廃液弁３０は、シリコンゴムまたは合成樹脂製のアッパーバルブシート３１とロアバルブシート３３とを備え、これらを吸盤状若しくは湾曲面状または半球面状に成形し、互いに水密かつ摺動可能に重合して配置している。
【００５０】
このうち、上側のアッパーバルブシート３１は定位置に不動に配置されて、その凹状湾曲面を下向きに配置し、下側のロアバルブシート３３は下端部に一対のピン３４を外側に突設し、該ピン３４，３４を軸受部３５，３５に回動可能に載置して、該軸受部３５，３５を中心に回動可能に支持されている。
【００５１】
前記バルブ室３２の下部内面に一対のブラケット３６，３６が対向して突設され、その上端部に凹状の軸受部３５，３５が形成され、該軸受部３５，３５に前記ピン３４，３４を回動可能に支持している。
前記ピン３４，３４の中間部にバルブスプリングである捩りバネ３７，３７が装着され、その一端が前記ブラケット３６，３６に掛け止められ、他端がロアバルブシート３３の下端縁に掛け止められ、前記捩りバネ３７，３７の弾性によって、ロアバルブシート３３をピン３４，３４を中心に図２上反時計方向へ回動可能に付勢し、常時は廃液弁３０を閉弁可能にしている。
【００５２】
前記ロアバルブシート３３の中間部に前記排出管２９の管内と同形のバルブ孔３８が形成され、該バルブ孔３８は常時はアッパーバルブシート３１に閉塞されて廃液弁３０を閉弁し、ロアバルブシート３３が所定角度回動した際、排出管２９と導通して廃液弁３０を開弁可能にしている。
【００５３】
図中、３９はロアバルブシート３３の下端縁に外側に突設した張出片で、常時は前記捩りバネ３７，３７の弾性によって、貯留容器２０の下側開口縁に突設した屈曲片４０に係合可能に配置され、該屈曲片４０が前記ブラケット３６，３６より９０°離間した位置に配置されている。
そして、貯留容器２０の廃液２７の排出時に、貯留容器２０を正立状態で載荷テーブル３上に立設し、その内側に支持リング１３を位置付け、該支持リング１３の上端部に張出片３９を係合して、廃液弁３０を支持ピン３４，３４を中心に回動し、バルブ孔３８を排出管２９に連通可能にしている。
【００５４】
図中、４１はバルブ室３２に臨む貯留容器２０の下部内面に設置した、廃液弁３０の開弁時期の検出手段であるリミットスイッチで、その検出片４１ａを廃液弁１３の開弁時における張出片３９の端部と係合可能に設置され、その検出信号を電磁弁９ａ〜９ｄに出力して、それらを同時または遅延させて開弁可能にしている。
【００５５】
このように構成した基本形態の貯留容器２０は有底筒状に構成され、その開口端部にキャップ２２を気密かつ水密に装着し、該キャップ２２に廃液導入管２３と排気管２４を抜き差し可能に取付ける。
また、貯留容器２０の底部２１ａを下方に湾曲成形し、その中央に通孔２８を形成し、該通孔２８に 排出管２９の上端部を水密に連結し、排出管２９の下端部に廃液弁３０を構成する吸盤状のアッパーバルブシート３１を下向きに配置する。
【００５６】
更に、貯留容器２０の下端縁に屈曲片４０を内側に突設し、該屈曲片４０より９０°離間した下端縁に、一対のブラケット３６，３６を対向して内側に突設し、このブラケット３６，３６に廃液弁３０を構成する下側のロアバルブシート３３を、ピン３４，３４を介して回動可能に取り付ける。
前記ロアバルブシート３３は中空の略半球面状に成形され、その球心部の下端縁に一対のピン３４，３４を外側に突設し、該ピン３４，３４を前記ブラケット３６，３６の軸受部３５，３５に回動可能に載置する。
そして、ロアバルブシート３３の上側球面を直上のアッパーバルブシート３１の凹状湾曲面に摺動可能に配置し、その下端部に突設した張出片３９を前記屈曲片４０に係合可能に配置する。
【００５７】
そして、前記ピン３４，３４の中間部に捩りバネ３７，３７を装着し、その一端をブラケット３６，３６に掛け止め、他端をロアバルブシート３３の下端部に掛け止め、その弾性によってロアバルブシート３３を、ピン３４，３４を中心に図２上反時計方向へ回動可能に付勢し、常時は係合レバ−２２を前記屈曲片４０に係合させる。
また、バルブ室３２の内周面の中高位置にリミットスイッチ４１を取付け、その検出片４１ａを張出片４０の回動域に臨ませて係合可能に配置し、該リミットスイッチ４１を電磁弁９ａ〜９ｄに配線する。
【００５８】
こうして貯留容器２０に取付けた廃液弁３０は図２のようで、底部２１ａの直下に廃液弁３０が開閉可能に取付けられ、常時は排出管２９の下側開口部がロアバルブシート３３に閉塞され、そのバルブ孔３８がアッパーバルブシート３１に閉塞されて閉弁され、また張出片３９が屈曲片４０に係合して略水平に置かれている。
【００５９】
このように前記基本形態の貯留容器２０は、廃液２７を収容する貯留室２１を廃液弁３０によって開閉可能に構成しているから、キャップ２２を閉塞したまま廃液弁３０によって適時かつ容易に廃液２１を排出することができる。
また、貯留容器２０は使用後に後述のように洗浄すれば幾度も使用し得るから、従来の使い捨て式のものに比べて、コストが割安になり資源の有効利用を図れる。
【００６０】
しかも、前記廃液弁３０は後述のように、貯留容器２０を保持し下端部を支持リング１３上に係合ないし載置させると、廃液２１を含む貯留容器２０の重量によって自動的に開弁し、また貯留容器２０を持ち上げて支持リング１３との係合を解除すると自動的に閉弁するから、駆動手段や複雑な開弁機構を要するものに比べて、廃液弁３０の構成が簡単で容易かつ安価に製作でき、また煩雑な開閉操作を要することなく簡便に使用できる。
【００６１】
次に、前記基本形態の洗浄装置１は、病院、介護施設等の一区画の定位置に設置し、病室や介護室に備えた廃液２１を収容した貯留容器２０を予め回収し、その際吸引チューブ２５と排気チューブ２６を取り外し、この貯留容器２０を洗浄装置１へ持ち運んで一時かつ集中的に処理するから、この種の処理を合理的かつ速やかに行なえる。
したがって、従来のように大形重量の移動用カートを移動して病室や介護室を巡回し、各部屋で貯留瓶の廃液を排出して処理し、その都度作業スペ−スの確保を要する上に、良好な療養環境を損なう不合理な問題と労力の負担を軽減し、しかも煩雑な処理工程と手間から解消されて処理コストを低減し得る。
【００６２】
この場合、洗浄装置１に持ち運ばれた貯留容器２０は、洗浄装置１を設置した病院、介護施設に限らず、他の病院、介護施設または家庭から持ち運んだものでも良く、これらは通常は図２のように下端部を床面に立設し、立位状態で廃液２７の排出と内部洗浄を待機する。
したがって、前述のように排出管２９の下側開口部がロアバルブシート３３に閉塞され、バルブ孔３８がアッパーバルブシート３１に閉塞されて閉弁され、廃液２７の漏出を阻止する。
【００６３】
次に、前記洗浄装置１を使用する際は、トレー状の廃液流し２の上側開口部に載荷テーブル３を掛け渡して閉塞し、該テーブル３上に蓋体４を開閉可能に装着する。
前記載荷テーブル３は一または複数の排出孔１０が設けられ、該排出孔１０の周辺に錐面状のテーパ面１１が形成され、その外側に支持リング１３が取付けられ、中央に噴射ノズル８ａが突出している。
【００６４】
このような支持リング１３に貯留容器２０が収容れていないときは、電磁弁９ａ〜９ｄは開弁されず閉弁状態を維持しているから、噴射ノズル８ａ〜８ｄから洗浄手段は噴射されず、その空費を防止する。
そこで、先ず貯留容器２０内の廃液２７を排出し内部を洗浄する場合は、蓋体４を開放し、貯留容器２０を載荷テーブル３上に収容する。
その際、貯留容器２０を保持して載荷テーブル３上をゆっくり下降し、その下端部を載荷テーブル３上に載置すると、ロアバルブシート３３の直下に噴射ノズル８ａが突出して位置する。
【００６５】
この後、貯留容器２０の張出片３９が図４のように支持リング１３の上端面に係合し、貯留容器２０を更に下降すると、ロアバルブシート３３がピン３４，３４を中心に捩りバネ３７，３７に抗して図４上時計方向へ回動し、バルブ孔３８が排出管２９と連通して廃液弁３０が開弁する。
このため、噴射ノズル８ａがバルブ孔３８と排出管２９に突入して底部２１ａの上方に突出し、貯留室２１ないし廃液２７中に移動する。
【００６６】
また、張出片３９の先端部がリミットスイッチ４１の検出片４１ａに係合し、前記廃液弁３０の開弁を検出する。
このため、貯留室２１内の廃液２７が排出管２９からバルブ孔３８を経て載荷テーブル３上に流下し、テーパ面１１に導かれて排出孔１０から廃液流し２に排出され、ドレン孔５からドレン管６を介して下水路に排出される。
したがって、載荷テーブル３上に廃液２７が残留することがなく、その乾燥を促して当該部の衛生を維持する。この状況は図５のようである。以降、各貯留容器２０を順次載荷テーブル３上に立設して設置し、内部の廃液２７を排出する。
【００６７】
このように廃液２７の排出時は、廃液２７が排出孔１０から排出管２９を経て、廃液弁３０と支持リング１３内の囲繞空間を移動するから、その飛沫が外部に漏れ出て作業者に付着する惧れがなく、感染症の感染の不安を払拭し、この種の作業を衛生的かつ安全に行なえる。また、洗浄手段である蒸気１５ａや加熱水１５ｂの飛散を防止して火傷の発生を防止し、作業の安全を確保するとともに、消毒液１５ｃや加圧水１５ｅの飛散を防止して作業環境の汚損を防止する。
【００６８】
次に、廃液２７の排出後、貯留容器２０を洗浄する場合は、載荷テーブル３上に蓋体４を装着し、蓋体４内を外界と遮断する。この後、洗浄手段１５ａ〜１５ｅの一または複数を選択し、対応する洗浄手段を導入管１６ａ〜１６ｅに送り出す。
例えば蒸気１５ａを選択する場合は、貯留容器２０内の細菌や雑菌を精密に殺菌して衛生的な処理を実現し得、加熱水１５ｂを選択する場合は、比較的低廉な設備によって貯留容器２０内の細菌や雑菌を簡便に殺菌して経済的な衛生処理を実現し得る。
【００６９】
また、消毒液１５ｃを選択する場合は、目的に合致した所期の薬剤を選定して所期の細菌や雑菌を確実に殺菌し、合目的な衛生処理を確実に実現し得、加圧空気１５ｄを選択する場合は、比較的低廉な設備によって貯留容器２０内を簡便に洗浄し得、加圧水１５ｅを選択する場合は、比較的低廉な設備によって貯留容器２０内を簡便に洗浄し得る。
【００７０】
一方、前記洗浄手段を複数選択して併用することによって、例えば蒸気１５ａと加圧空気１５ｄを併用し、または蒸気１５ａと消毒液１５ｃを併用することによって殺菌と洗浄を高精密に行なえ、更に加圧水１５ｅ若しくは加熱水１５ｂに消毒液１５ｃを併用することによって、洗浄と殺菌を合理的かつ安価に実現し得る。
こうして選択した一または複数の洗浄手段を対応する導入管１６ａ〜１６ｅに送り出すと、前記洗浄手段が連通管７から各電磁弁９ａ〜９ｄへ移動し、該電磁弁９ａ〜９ｄの開弁を待って噴射ノズル８ａ〜８ｄから洗浄手段を噴射する。
【００７１】
前記電磁弁９ａ〜９ｄは常時は閉弁され、貯留容器２０に設けた廃液弁３０が開弁されて廃液２７の排出を開始した際、開弁可能にされ、その開弁時期を廃液弁３０の廃液排出と同時、または貯留容器２０内の廃液２７の残留量の相当時期、或いは貯留容器２０内の廃液２７の全量排出後の相当時期に設定されている。この基本形態では、電磁弁９ａ〜９ｄの開弁時期を廃液２７の排出開始時に開弁可能にしている。
【００７２】
この場合、廃液弁３０は前述のように開弁され、その開弁をリミットスイッチ４１が検出しており、この基本形態では各電磁弁９ａ〜９ｄの開弁時期を廃液弁３０の廃液排出と同時に設定しているから、電磁弁９ａ〜９ｄが廃液弁３０の廃液排出と同時に開弁し、前記洗浄手段を噴射ノズル８ａ〜８ｄへ導いて、噴口４２から前記洗浄手段を噴出する。この状況は図７（ａ）のようである。
【００７３】
したがって、この場合は洗浄が廃液２７の排出と同時に行なわれるから、洗浄が速やかに行われ、また貯留容器２０の内面は湿潤して廃液２７の乾燥や付着が生じていないから、合理的かつ精密に洗浄し得る。しかも、洗浄手段の噴出によって廃液２７の液面が動揺するから、精密な洗浄が促される。
【００７４】
この場合、一部の廃液２７や洗浄手段およびそれらの飛沫が廃液導入管２３や排気管２４から外部に漏れ出るが、その外側を蓋体４が遮蔽し外界と遮断しているから、廃液２７やその飛沫が作業者に付着することはなく、安全かつ衛生的に行なえる。
こうして、廃液２７が排出された後、一定時間洗浄手段が噴出されて洗浄が行われ、所定時間経過後に電磁弁９ａ〜９ｄが閉弁して洗浄が終了する。
【００７５】
一方、貯留容器２０内の廃液２７の残留量の相当時期に電磁弁９ａ〜９ｄを開弁する場合は、貯留容器２０の内面は未だ湿潤下に置かれて廃液２７の乾燥や付着が生じていないから、合理的かつ精密に洗浄し得るとともに、廃液２７の排出開始と同時の場合に比べて廃液２７が減量し、その分洗浄手段の勢いが相対的に増大して廃液２７の液面が激しく動揺して、貯留容器２０内が強力に洗浄される。
【００７６】
また、廃液２７の排出後も一定時間噴射ノズル８ａ〜８ｄから洗浄手段が噴出され、この場合は洗浄手段が勢い良く貯留容器２０内面を高精密に洗浄ないし消毒する。この状況は図７（ｂ）のようである。
この場合、廃液２７や洗浄手段およびそれらの飛沫の廃液導入管２３や排気管２４からの外部漏出は、前述と同様に安全かつ衛生的に処理される。
【００７７】
また、貯留容器２０内の廃液２７の全量排出後に電磁弁９ａ〜９ｄを開弁する場合は、貯留容器２０内に廃液２７が存在しないから、その分洗浄手段の勢いが増強され、貯留容器２０内を激しく噴射するから、付着物を剥離して強力かつ高精密に洗浄される。この状況は図７（ｃ）のようである。
この場合、廃液２７や洗浄手段およびそれらの飛沫の廃液導入管２３や排気管２４からの外部漏出は、前述と同様に安全かつ衛生的に処理される。
【００７８】
こうして洗浄手段の供給から所定時間経過後、電磁弁８ａ〜８ｄが閉弁して洗浄手段１５ａ〜１５ｅの供給が停止され、貯留容器２０の廃液２７の排出と洗浄が終了する。この後、蓋体４を開放して載荷テーブル３上から貯留容器２０を持ち上げ、洗浄装置１から取り出す。
【００７９】
このようにすると、貯留容器２０が載荷テーブル３の上方へ移動し、噴射ノズル８ａ〜８ｄが排出管２９とバルブ孔３８から引き抜かれ、また張出片３９と支持リング１３との係合が解除され、廃液弁３０が捩りバネ３７の弾性によって、ピン３４，３４を中心に図５上反時計方向へ復帰回動し、これにバルブ孔３８が同動して排出管２９の下端部がロアバルブシート３３に閉塞される。
更に、バルブ孔３８がアッパーバルブシート３１によって閉塞され、張出片３９の先端部が屈曲片４０に係合して静止する。この状況は図２のようである。
【００８０】
また、廃液弁３０が復帰回動して張出片３９が下方へ移動し、リミットスイッチ４１の検出片４１ａとの係合を解除して、リミットスイッチ４１がＯＦＦ状態に置かれる。
このため、廃液弁３０が閉弁され、排出管２９の下端部が閉塞されて図２の状況にリセットされる。この状況は図２のようである。
【００８１】
こうして廃液２７を排出し内部を洗浄した貯留容器２０は、洗浄装置１から取り出されて再使用可能になる。この後、前記貯留容器２０を患者や被介護者の病室または介護室へ持ち運び、これをブラケット（図示略）を介して設置し、廃液導入管２３の外側端部に吸引チューブ２５を接続し、排気管２４の外側端部に排気チューブ２６を接続して、次期鼻汁や痰等の吸引を待機する。
【００８２】
このように前記基本形態では、廃液導入管２３と排気管２４、キャップ２２、貯留容器２０の内外面を前記洗浄工程で洗浄しているから、これらを別個に洗浄する面倒がなく、合理的かつ速やかな使用が可能になる。
また、貯留容器２０の廃液２７の排出と洗浄をキャップ２２を取り外すことなく行なえ、しかも前記廃液２７や洗浄手段１５ａ〜１５ｅおよびその飛沫が蓋体４で遮蔽され、外部に飛散したり作業者やその衣服に付着することがないから、廃液２７の付着による感染症の感染を防止し得るとともに、蒸気１５ａや加熱水１５ｂの飛散による火傷を防止する
【００８３】
また、洗浄手段１５ａ〜１５ｅの飛散や飛沫によって洗浄装置１周辺が汚損し作業環境が劣化することがなく、一連の作業を安全かつ衛生的に行なえる。
この場合、廃液導入管６と排気管７の外部に流出した洗浄手段１５ａ〜１５ｅは蓋体２７内面に接触し、また貯留容器２０の外周面に接触して、それらの接触面を洗浄ないし洗浄するから、この種の洗浄作業を衛生的かつ合理的に行える。
【００８４】
図８乃至図１５は本発明の他の実施形態を示し、前述の構成と対応する構成部に同一の符号を用いている。
このうち、図８乃至図１０は前記基本形態の応用形態の要部を示し、図８は第１の応用形態、図９および図１０は第２の応用形態を示している。
この応用形態は貯留容器２０の底部２０ａを平坦に形成し、バルブ室３２を省略して貯留容器２０をコンパクトに形成するとともに、キャップ２２上に排出管２９を突設し、該管２９の端部に廃液弁３０を組み付けている。
【００８５】
そして、例えばアッパーバルブシート３１の外側に一対のブラケット４３を屈曲して突設し、該ブラケット４３の先端部にピン３４，３４を軸支するピン孔(図示略)を設けて、廃液弁３０を常時は閉弁可能にしている。
この応用形態によって患者や被介護者の鼻水等を吸引する場合は、キャップ２２を上位に位置付けて貯留容器２０を設置し、前述の基本形態と同様に吸引ノズル(図示略)を用いて鼻水を吸引し、これを廃液導入管２３から貯留容器２０へ導入する。
【００８６】
そして、鼻水等を含む廃液２７を排出する場合は、前述の基本形態と同様に廃液導入管２３から吸引チューブ２５を取り外し、排気管２４から排気チューブ２６を取り外して貯留容器２０を洗浄装置１へ持ち運ぶ。
この後、貯留容器２０の上下を反転してゆっくり下降させ、張出片３９を支持リング１３上に載せて、ロアバルブシート３３をピン３４，３４を中心に図８上時計方向へ回動して廃液弁３０を開弁し、廃液２７を排出管２９からバルブ孔３８を介して廃液流し２に排出する。
この場合、貯留容器２０の上下を反転させるから、該容器２０の下部に滞留していた鼻水等の沈殿物を上側へ移動させ、異物の少ない廃液２７を先ず排出するから、廃液２７を合理的かつ速やかに排出できる。
【００８７】
そして、廃液弁３０を開弁と同時に蓋体４を閉鎖し、洗浄装置１の周辺を外界から遮断し、廃液２７の排出と同時、若しくは廃液２７の残留中の所定時期、または廃液２７の全量排出後に、載荷テーブル３上の所定位置に設置した光電管等の検出手段（図示略）によって、張出片２９の位置を検出し、その検出信号を一の電磁弁９ａ〜９ｄへ出力して開弁し、噴射ノズル８ａ〜８ｄから洗浄手段１５ａ〜１５ｅの一または複数を噴出し、貯留容器２０の内部を洗浄する。
こうして洗浄した貯留容器２０は前述と同様にリセットし、次期鼻汁等の吸引を待機させる。
【００８８】
図９および図１０は前記基本形態の第２の応用形態を示し、この応用形態は第１の応用形態の応用形態に属し、貯留容器２０の側周面の中間部に排出管２９を外側へ突設し、該管２９の先端部に廃液弁３０を回動可能に組み付け、廃液弁３０を常時は閉弁可能に構成している。
また、支持リング１３の上方に貯留容器２０を保持可能な湾曲板状のトレー４５を設け、該トレー４５に廃液弁３０を出し入れ可能な貫通孔４７を形成している。
【００８９】
この応用形態によって患者や被介護者の鼻水等を吸引する場合は、キャップ２２を上位に位置付けて貯留容器２０を設置し、前述の応用形態と同様に吸引ノズル(図示略)を用いて鼻水を吸引し、これを廃液導入管２３から貯留容器２０へ導入する。
次に、鼻水等を含む廃液２７を排出する場合は、前述の応用形態と同様に廃液導入管２３から吸引チューブ２５を取り外し、排気管２４から排気チューブ２６を取り外して貯留容器２０を洗浄装置１へ持ち運ぶ。
【００９０】
この後、貯留容器２０を水平に保持してトレー４４上に載せ、貯留容器２０の側周面を下側に配置して、廃液２７を側周面と水平に移動し、廃液弁３０を通孔４５の直下に配置する。
その際、貯留容器２０をゆっくり下降して、ロアバルブシート３３をピン３４，３４を中心に図９上時計方向へ回動して廃液弁３０を開弁し、排出管２９からバルブ孔３８を介して廃液２７を廃液流し２に排出する。
この場合、貯留容器２０はトレー４４によって水平に支持され、廃液２７を浅底化するから、貯留容器２０の重心位置が低くなって安定し、また貯留容器２０の下部が上方に湾曲しているから、廃液２７の排出を促す。
【００９１】
そして、廃液２７の排出開始と同時に蓋体４を閉鎖し、貯留容器２０の周辺を外界から遮断し、廃液２７の排出と同時、若しくは廃液２７の残留中の所定時期、または廃液２７の全量排出後に、載荷テーブル３上の所定位置に設置した光電管等の検出手段（図示略）によって、張出片２９の位置を検出し、その検出信号を一の電磁弁９ａ〜９ｄへ出力して開弁し、噴射ノズル８ａ〜８ｄから洗浄手段１５ａ〜１５ｅの一または複数を噴出し、貯留容器２０の内部を洗浄する。
こうして洗浄した貯留容器２０は前述と同様にリセットし、次期鼻汁等の吸引を待機させる。
【００９２】
図１１および図１２は本発明の実施形態に適用した貯留容器２０と、内部に収容した廃液２７の排出と内部の洗浄状況を示している。
前記貯留容器２０は、前述の基本形態ないし応用形態の貯留容器２０における廃液弁３０の代わりに、簡便かつ低廉な廃液弁を用いて廃液２７の排出と貯留を実現している。
すなわち、キャップ２２の中央に短小な排出管４６を上向きに突設し、該排出管４６の近接位置にバルブホルダ４７を上向きに突設し、該ホルダ４７の上端部にモータ等のアクチュエータ４８をＯＮ・ＯＦＦ可能に設置し、該アクチュエータ４８の駆動軸に廃液弁４９の一端を回動可能に支持し、その他端部によって排出管４６の開口部を開閉可能に設けている。
【００９３】
前記アクチュエータ４８は、患者や被介護者から鼻汁や痰等の体液を含む廃液２７を吸引時に駆動を停止して廃液弁４９を閉弁し、排出管４６の開口部を閉塞して廃液２７の漏出を阻止し、収容した廃液２７を排出時に駆動して廃液弁４９を開弁し、排出管４６の開口部を開放して廃液２７を排出可能にしている。
実施形態では廃液２７の排出時に、貯留容器２０を上下反転して廃液２７を重力によって下方へ排出可能にしている。
【００９４】
すなわち、前記廃液２７の排出時には貯留容器２０を上下反転し、そのキャップ２２の表面に支持リング１３の上端部を係合して、貯留容器２０の安定した反転状態を形成可能にしている
前記支持リング１３は、廃液２７の排出時に廃液導入管２３と排気管２４の内側に配置され、該リング１３の内側に排出管４６とバルブホルダ４７と廃液弁４９を収容している
【００９５】
一方、載荷テーブル３の排出孔１０は排出管４６の直下に配置され、該排出孔１０に噴射ノズル８ａの上端部が挿入され、該ノズル８ａの上端部に形成した噴口４２を排出管４６の直下に配置していて、貯留容器２０の洗浄時に電磁弁９ａ〜９ｄの開弁を条件に、排出管４６の直下から洗浄手段１５ａ〜１５ｅを上向きに噴射可能にしている。
【００９６】
前記電磁弁９ａ〜９ｄは常時は閉弁され、廃液弁４９の開弁を基に開弁可能にされ、その開弁時期は前述と同様に、廃液弁４９の廃液排出と同時、または貯留容器２０内の廃液２７の残留量の所定時期、例えば廃液の８割を排出し２割残留する相当時期、或いは貯留容器２０内の廃液２７の全量排出後の所定時期に設定されている。
この実施形態では電磁弁９ａ〜９ｄを、アクチュエータ４８の始動による廃液弁４９の開弁時と同時、または廃液弁４９の開弁後、廃液２７が残留する所定時期に遅延作動させて開弁し、或いはアクチュエータ４８の開回動後、廃液２７の全量排出後の所定時期に遅延作動させて開弁している。
【００９７】
実施形態では廃液２７の全量排出後の所定時期に電磁弁９ａ〜９ｄを開弁し、洗浄手段１５ａ〜１５ｅの一または複数を貯留容器２０の下方から噴射し、これを貯留容器２０内面に勢い良く吹き付け反射させて洗浄している。この状況は図１２のようである。
【００９８】
このように、実施形態では基本形態の複雑な廃液弁４９の代わりに、キャップ２２の中央に排出管４６を突設し、この排出管４６の近接位置にアクチュエータ４８を介して、廃液弁４９を回動かつ開閉弁可能に設け、廃液弁４９を小形かつ簡潔に構成するとともに、その開閉作動をアクチュエ−タ４８の作動を基に簡潔かつ安価に構成している。
【００９９】
また、廃液弁４９をキャップ２２側に設け、排出管４６の直下に廃液弁４９を回動かつ開閉弁可能に設ける構成は、図８および図９に示す基本形態の第１および第２応用形態と同様であるが、廃液弁４９を支持リング１３よりも小形で、支持リング１３の内側に収容可能に構成している。
【０１００】
したがって、廃液２７の排出時に支持リング１３上にキャップ２２を載置し得るから、支持リング１３上に廃液弁４９を載置し、該廃液弁４９上に貯留容器２０を載置する前記第１および第２応用形態に比べ、貯留容器２０を低位置で広範囲に支持しているから載置状態が安定し、廃液２７の排出作業を安定かつ安全に行なえるとともに、噴射ノズル８ａ〜８ｄの噴流を受ける貯留容器２０の動揺を低減し、洗浄作業を安全かつ安定して行なえる。
【０１０１】
図１３図は前記第１の実施形態の応用形態を示し、キャップ２２内面の片側に廃液２７を収容可能な廃液溜５０を設け、該廃液溜５０に廃液導入管２３の一端を配管し、該管２３の一端にフロート５１の小径部５１ａを摺動可能に配置している。
そして、前記小径部５１ａに逆止弁５２をフロート５１と同動可能に設け、廃液２７の吸引時に多量の廃液２７を貯留容器２０内に収容可能にし、その液面が所定位置上昇した際、または廃液２７の排出時に、逆止弁５２がフロート５１と同動して廃液導入管２３の一端を閉塞し、該導入管２３からの廃液２７の吸引を阻止して電動ポンプの故障を防止するようにしている。
【０１０２】
図１４および図１５は本発明の第２の実施形態に適用した貯留容器２０と廃液弁、および貯留容器２０の内部に収容した廃液２７の排出と洗浄状況を示している。
前記貯留容器２０の貯留室２１の底部２１ａ中央に中空筒状の排出管５３を下方に突設し、その下端部を貯留容器２０の下端の直上に配置して、該排出管５３を支持リング１３の内側に摺動可能に挿入している。
【０１０３】
前記排出管５３の内側上部にバルブ受５４を一体成形し、該バルブ受け５４上に後述の廃液弁を着座可能に収容し、その内側に中空筒状の隔離筒５５を下方に突設し、その下端部を前記排出管５３と同高位置に配置している。
図中、５６はバルブ受５４の外周部に区画形成された複数の通孔で、貯留室２１および排出管５３と隔離筒５５との間の空隙５７に連通可能にしている。
【０１０４】
前記廃液弁５８はゴム等の弾性材によって略逆円錐台形状に成形し、その下部周面に複数の噴口５９を開口し、また廃液弁５８の内部にガイドパイプ６０の上端部を埋設し、その中間部ないし下側部を下方に突出し、この突出部をバルブ受５４の中央に設けたガイド孔６１に上下に摺動可能に挿入している。
前記ガイドパイプ６０の下部周面の対向位置に長孔６２を上下方向に形成し、各長孔６２にピン６３を摺動かつ係合可能に挿入し、各ピン６３の突出部にバネ受６４を掛け止めている。
【０１０５】
前記バネ受６４は通孔を介してガイドパイプ６０の周面に摺動可能に装着され、該バネ受６４とバルブ受５４との間にバルブスプリング６５を介挿し、該スプリング６５の弾性によってバネ受６４と廃液弁５８を下方へ移動可能に付勢し、常時は廃液弁５８をバルブ受５４上に着座し、かつ廃液弁５８の外周面を排出管５３の上端部内面の隅角部に係合可能に配置して、該排出管５３の上端部を閉塞し閉弁可能にしている。
図中、６６はガイドパイプ６０の上部周面に形成したノズル孔で、前記噴口５９に連通している。
【０１０６】
一方、載荷テーブル３の各排出孔１０に噴射ノズル８ａ〜８ｄを挿入して上方に突出し、この噴射ノズル８ａ〜８ｄの上方から貯留容器２０を下降して、ガイドパイプ６０の内部に噴射ノズル８ａ〜８ｄを抜き差し可能に挿入している。
そして、噴射ノズル８ａ〜８ｄの挿入時に各上端部を廃液弁５８の奥部に当接し、バルブスプリング６５の弾性に抗して廃液弁５８を押し上げ、廃液弁５８周面と排出管５３の上端部内面の隅角部との係合を解除して、廃液弁５８を開弁可能にしている。
【０１０７】
このように構成した第２の実施形態は、貯留容器２０の下部に略逆円錐台形状の廃液弁５８を配置し、該廃液弁５８の周面を排出管５３の内側上部に係合して閉弁し、後述のように廃液２７の排出時にガイドパイプ６０の内部に噴射ノズル８ａ〜８ｄを挿入して廃液弁５８を押し上げ、該廃液弁５８を開弁可能にしていて、廃液弁５８の構成は前記基本形態に比べて簡単かつ安価に製作し得る。
前記廃液弁５８は、常時はバルブスプリング６５に付勢されて排出管５３の内側上部を閉塞して閉弁し、この状態で患者や被介護者の鼻水等の吸引に使用され、その廃液２７が貯留容器２０の内部に貯留される。この状況は図１４のようである。
【０１０８】
次に、前記貯留容器２０内部の廃液２７を排出し洗浄する場合は、前記貯留容器２０を回収して洗浄装置１へ持ち運び、これを周辺の床面に立位状態で設置する。
この状況は図１４のようで廃液弁５８が閉弁されているから、内部の廃液２７が漏れ出ることはない。
この後、洗浄装置１の蓋体４を開放し、貯留容器２０を保持して載荷テーブル３の上方から下降し、排出管５３を支持リング１３内に挿入するとともに、ガイドパイプ６０の内部に噴射ノズル８ａを挿入して、貯留容器２０の下端部を載荷テーブル３上に設置する。
【０１０９】
このようにすると、貯留容器２０は排出管５３が支持リング１３内に挿入されて中央部を支持され、またその外側は下端部が載荷テーブル３上に設置されて貯留容器２０を支持するから、貯留容器２０が安定して設置され、この状態を維持する。
こうして、ガイドパイプ６０の内部に噴射ノズル８ａが挿入され、該ノズル８ａの上端部が廃液弁５８の上端部に当接し、更に貯留容器２０を下降すると、噴射ノズル８ａがバルブスプリング６５の弾性に抗し奥部へ挿入されて廃液弁５８を押し上げる。
【０１１０】
このため、廃液弁５８の周面が排出管５３の上端部内面の隅角部との係合を解除して、廃液弁５８が開弁される。この状況は図１５のようである。
この後、貯留容器２０の下端部が載荷テーブル３上に設置され、また排出管５３が支持リング１３内に挿入された状態を維持するため、図示の廃液弁５８の開弁状態が維持される。
この結果、貯留容器２０内部の廃液２７が排出管５３の上端部内面に流入し、これが通孔５６を経て排出管５３と隔離筒５５との間の空隙５７に導かれ、支持リング１３内の載荷テーブル３上に流下する。
【０１１１】
前記流下した廃液２７は、テーパ面１１に導かれて排出口１０から廃液流し２内に流下し、ドレン孔５からドレン管６を介して下水路に排出されるから、載荷テーブル３上に廃液２７が残留することはなく、その乾燥を促して当該部の衛生を図れる。
【０１１２】
一方、電磁弁９ａ〜９ｄは、廃液弁５８の開弁時と同時に作動し、または廃液弁５８の開弁後、廃液２７が残留する所定時期に遅延作動し、或いは廃液２７の全量排出後の所定時期に遅延作動可能にされて、開弁される。
実施形態では廃液弁４９の開弁時と同時に電磁弁９ａ〜９ｄを開弁し、選択した洗浄手段１５ａ〜１５ｅの一または複数を噴射ノズル８ａに供給している。
【０１１３】
このため、前記洗浄手段が噴射ノズル８ａの噴口４２から外部へ噴出し、ノズル孔６６から噴口５９に導かれて外部へ噴出し、貯留室２１の内面を吹き付けて洗浄する。
洗浄後の洗浄手段は、前述と同様に排出管５３の上端部内面に流入し、通孔５６を経て排出管５３と隔離筒５５との間の空隙５７に導かれ、支持リング１３内の載荷テーブル３上に流下する。
【０１１４】
こうして洗浄開始後、所定時間経過したところで電磁弁９ａ〜９ｄが閉弁し、洗浄手段の供給が停止されて貯留容器２０の洗浄が終了する。この後、洗浄装置１の蓋体４を開放し、貯留容器２０を保持して持ち上げ、排出管５３を支持リング１３内から引き抜けば、廃液弁５８がバルブスプリング６５によって引き下げられ、図１４に示す閉弁状態を形成する。
したがって、洗浄後の貯留容器２０を回収し、これを患者や被介護者の病室または介護室へ持ち運んでセットし、次期鼻汁や痰等の吸引を待機する。
【産業上の利用可能性】
【０１１５】
このように本発明の体液を含む廃液の処理方法およびその処理装置並びに体液を含む廃液の貯留容器は、廃液を収容した貯留容器のキャップを開けることなく簡便かつ安全に排出し、廃液の付着による感染症の感染を防止し、衛生的かつ速やかに処理し得るとともに、貯留容器に廃液弁を取付け、廃液の排出と貯留容器の洗浄を合理的に行なえ、しかも貯留容器内の廃液を排出し洗浄する処理装置によって、それらの処理を合理的に行なえ処理能率を向上できるから、例えば病院、介護施設、家庭等で患者や被介護者から吸引した鼻汁や痰等の体液を含む廃液の処理に好適である。
【符号の説明】
【０１１６】
１                  洗浄装置
２                  廃液流し
３                  載荷テーブル
４                  蓋体
８ａ〜８ｄ          噴射ノズル
１０                排出孔
１１                テーパ面
１３                支持リング
【０１１７】
１５ａ〜１５ｅ      洗浄手段
２０                貯留容器
２１ａ              底部
２２                キャップ
２７                廃液
３０，４９，５８    廃液弁
６０                ガイドパイプ
【図１】
2016106801.tif 000003
【図２】
2016106801.tif 000004
【図３】
2016106801.tif 000005
【図４】
2016106801.tif 000006
【図５】
2016106801.tif 000007
【図６】
2016106801.tif 000008
【図７】
2016106801.tif 000009
【図８】
2016106801.tif 000010
【図９】
2016106801.tif 000011
【図１０】
2016106801.tif 000012
【図１１】
2016106801.tif 000013
【図１２】
2016106801.tif 000014
【図１３】
2016106801.tif 000015
【図１４】
2016106801.tif 000016
【図１５】
2016106801.tif 000017